(57)【要約】  本発明は、粉末を含有するための、かつ粉末を液体と混合して混合製品にするための容器に関し、容器は、少なくとも部分的に可撓性材料を含み、少なくとも、粉末を含有しているときは折り畳み可能であり、液体を収容するときは拡張可能であるように適合されたタイプの本体と、本体に接続され、第１の開口端および第２の開口端を備える導管であって、第１の開口端が本体の外部に配置され、第２の開口端が本体の内容積に配置され、それにより導管が、本体の外部と内容積との間に流体連通を提供し、第１の開口端は、第１の開口端を通るアクセスを阻止するための閉鎖部材に取り外し可能に接続されている、導管と、を備え、容器は、導管の第２の開口端に接続されるように適合されたフィルタ要素を更に含む。
2020504061.tif 000002
【特許請求の範囲】
【請求項１】
粉末を含有するための、かつ該粉末を液体と混合して混合製品にするための容器であって、
少なくとも部分的に可撓性材料を含み、少なくとも、前記粉末を含有しているときは折り畳み可能であり、前記液体を収容するときは拡張可能であるように適合されたタイプの本体と、
該本体に接続され、第１の開口端および第２の開口端を備える導管であって、前記第１の開口端が前記本体の外部に配置され、前記第２の開口端が前記本体の内容積に配置され、それにより前記導管が、前記本体の前記外部と前記内容積との間に流体連通を提供し、前記第１の開口端は、前記第１の開口端を通るアクセスを阻止するための閉鎖部材に取り外し可能に接続されている、導管と、を備え、
前記導管の前記第２の開口端に接続されるように適合されたフィルタ要素を更に含む、容器。
【請求項２】
前記フィルタ要素は、前記導管の前記第２の開口端に取り外し可能に接続されるように適合されている、請求項１に記載の容器。
【請求項３】
前記フィルタ要素は、前記第１の開口端を通して挿入され前記導管の前記第２の開口端に移動されるように適合されることによって、前記導管の前記第２の開口端に接続されるように適合されている、請求項１または２に記載の容器。
【請求項４】
前記フィルタ要素および／または前記導管は硬質材料を含む、請求項１から３のいずれか一項に記載の容器。
【請求項５】
前記フィルタ要素は細長い形状を含む、請求項１から４のいずれか一項に記載の容器。
【請求項６】
前記フィルタ要素は中空構造を含む、請求項１から５のいずれか一項に記載の容器。
【請求項７】
前記フィルタ要素の前記中空構造は、少なくとも部分的に円錐形である、請求項６に記載の容器。
【請求項８】
前記フィルタ要素は、前記導管の前記第２の開口端に取り付けるためのリング状基部を備える、請求項１から７のいずれか一項に記載の容器。
【請求項９】
前記フィルタ要素は少なくとも１つの濾過孔を含み、それにより、前記フィルタ要素が前記導管の前記第２の開口端に取り付けられたときに、前記本体の前記外部と前記内容積との間の流体連通をもたらす、請求項１から８のいずれか一項に記載の容器。
【請求項１０】
前記フィルタ要素は少なくとも第１の濾過孔および第２の濾過孔を備え、前記フィルタ要素が前記第２の開口端に接続された場合、前記第１の濾過孔は前記第２の濾過孔よりも、前記導管の前記第２の開口端の近くに配置されており、前記第１の濾過孔の直径は前記第２の濾過孔の直径よりも小さい、請求項１から９のいずれか一項に記載の容器。
【請求項１１】
前記フィルタ要素は、切頭形または尖頭形のいずれかである頂点を備える、請求項１から１０のいずれか一項に記載の容器。
【請求項１２】
前記フィルタ要素は、前記導管が前記第１の開口端から前記フィルタ要素を備える前記第２の開口端まで延びるように、前記導管の一部を形成している、請求項１から１１のいずれか一項に記載の容器。
【請求項１３】
前記本体は、第１の端部と、前記第１の端部の反対側の第２の端部と、前記本体の長手方向軸に対して前記第１の端部と前記第２の端部の間に配置された中央部とを画定し、前記長手方向軸に垂直な前記本体の断面積は、前記第１の端部および前記第２の端部においてよりも前記中央部において小さい、請求項１から１２のいずれか一項に記載の容器。
【請求項１４】
前記本体が、ポリエチレン、ポリエチレンテレフタレート、ポリプロピレン、またはそれらの組み合わせなどの可撓性の液体不透過性プラスチック材料を含む、請求項１から１３のいずれか一項に記載の容器。
【請求項１５】
前記本体の前記内容積の中に混合用メッシュが配置され、該混合用メッシュは可撓性材料を含む、請求項１から１４のいずれか一項に記載の容器。
【請求項１６】
前記本体は、可撓性の液体不透過性材料から作製された少なくとも１つのシートによって形成されており、該シートの縁部の少なくとも一部が接合され、それにより前記シートが前記本体の前記内容積を画定する、請求項１から１５のいずれか一項に記載の容器。
【請求項１７】
前記本体は、可撓性の液体不透過性材料から作製された第１のシートおよび第２のシートを備え、該シートの縁部の少なくとも一部が接合され、それにより前記シートが前記本体の前記内容積を画定する、請求項１から１６のいずれか一項に記載の容器。
【発明の詳細な説明】
【技術分野】
【０００１】
本発明は、粉末を含有し、この粉末を液体と混合して混合製品にするための容器に関する。
【背景技術】
【０００２】
健康と身体活動への関心の高まりにより、減量、筋肉増強などを対象にした食品が求められている。特に関心があるのは、用意および消費が簡単で、更なる処理を必要としない食品である。そのような製品は、粉末形態で供給され、水または他の消費可能な液体と混合される栄養素などの十分な栄養素を含有する液体の形態であり得る。
【０００３】
消費可能な粉末を消費可能な液体と混合するための既知の製品には、飲料ボトルと、ブレンダーボトルまたはシェーキングボトル、予備混合液体を含有するパウチ、または栄養分を含有し液体を収容するように用意されたパウチなどのサブカテゴリと、が挙げられる。
【０００４】
既知の飲料ボトルは、液体を粉末物質と混合しなければならない場合は使用するのに効率的ではない。その理由は、粉末の一部が溶解されないことを防止するためにボトルを長時間シェークしなければならないからである。溶解していない粉末は、混合製品を飲む際に不快感をもたらすことになるか、または飲料ボトルの開口部を詰まらせ得る。
【０００５】
ブレンダーボトルは、粉末状の物質を液体と混合させるという課題を対象にしている。外観は通常の飲料ボトルに似ているが、ボトルが閉じられたときに、ボトル内で自由に動くように適合された固体要素を更に備えている。必要時に、ユーザはボトルに所望量の粉末と液体を充填し、固体要素が混合物を泡立てるようにボトルをシェークする。固体要素は、動きをより良好にするために弾性特性（例えば金属ばね）を有していてもよい。
【０００６】
シェーキングボトルは、粉末状の物質を液体と混合させるという課題を対象にした別のタイプのボトルである。シェーカボトルでは網目の粗いメッシュがボトルの内部に設けられ、その結果、液体がメッシュを通って移動するように強制され、それにより粉末の塊がバラバラになる。メッシュは、メッシュを通る液体の容易なシェーキングおよび移動を可能にするために粗い。
【０００７】
かさばる飲料ボトルが選択肢にならない場合は、栄養価の高い液体を充填したパウチが選択肢になる。これは、製品が例えばポケットの中またはベルトの中に簡単に収納されなければならない持久走の場合に該当し得る。
【０００８】
栄養価の高い粉末で予め充填され、ユーザによって手作業により液体で充填されるように用意されたパウチも知られている。ここで、導管が、ユーザが例えば水を添加し、続いて混合物を消費することを可能にする。
【０００９】
従って、粉末を液体と混合するための既知のボトルは長時間にわたる混合プロセスを必要とし、未溶解の粉末は混合製品を飲む際に不快感をもたらすか、または飲料ボトルの開口部を詰まらせる場合がある。
【発明の概要】
【００１０】
本発明によると、粉末を含有するための、かつ粉末を液体と混合して混合製品にするための容器が提供され、容器は、少なくとも部分的に可撓性材料を含み、少なくとも、粉末を含有しているときは折り畳み可能であり、液体を収容するときは拡張可能であるように適合されたタイプの本体と、本体に接続され、第１の開口端および第２の開口端を備える導管であって、第１の開口端が本体の外部に配置され、第２の開口端が本体の内容積に配置され、それにより導管が、本体の外部と内容積との間に流体連通を提供し、第１の開口端は、第１の開口端を通るアクセスを阻止するための閉鎖部材に取り外し可能に接続されている、導管と、を備え、容器は、導管の第２の開口端に接続されるように適合されたフィルタ要素を更に含む。
【００１１】
導管の第２の開口端に接続することができるフィルタ要素を設けることは、粉末と液体との混合後に残っている溶解しなかった粉末の塊がユーザによって消費されないことを確実にするが、液体が容器の中に導入されることは可能にしている。これにより、混合製品の滑らかさと賞味経験が向上する。粉末と液体との混合は、容器をシェークすることによって実施することができる。
【００１２】
本出願の範囲内では、液体は消費可能な液体として理解することができ、それは人間が消費するのに安全な任意の液体であり得る。例としては、水、牛乳、またはフルーツジュースが挙げられる。
【００１３】
本出願の範囲内では、粉末は消費可能な粉末として理解することができ、それは人間が消費するのに安全な任意の粉末であり得る。粉末は、乳清タンパク質粉末、大豆タンパク質粉末、または牛肉タンパク質粉末などのタンパク源であり得る。
【００１４】
本発明は粉末に限定されない。粉末は、液体に溶解させることができるペレットまたはピルで置換できる。
【００１５】
追加の成分が粉末またはペレットの形態で含まれていてもよい。例としては、着香料、着色料、ビタミン、グルタミン、クレアチン、炭水化物、または乳化剤などの調合剤が挙げられるが、これらに限定されない。
【００１６】
タンパク源は、最も好ましくは製造中に容器に追加される。タンパク質の量は容器のサイズ、および当局が毎日の必要量として提示した推奨値に依存し得る。量は、１０グラム未満、または２０グラム未満、または３０グラム未満、または４０グラム未満、または５０グラム未満であり得る。
【００１７】
一実施形態では、フィルタ要素は、導管の第２の開口端に取り外し可能に接続されるように適合され得る。
【００１８】
それにより、ユーザはフィルタ要素を使用するか、または使用しないかのいずれかの可能性を有する。フィルタ要素はまた、例えば梱包または輸送の間に起こり得る、破損または変形の場合に交換することができる。更に、ユーザが粉末を、例えば容器の代わりにガラス内で使用することを望む場合、ユーザはフィルタ要素を除去することができる。フィルタ要素を取り外すことを可能にすることによって、フィルタ要素を別の容器内で再使用することができる。
【００１９】
一実施形態では、フィルタ要素は、第１の開口端を通して挿入され導管の第２の開口端に移動されるように適合されることによって、導管の第２の開口端に接続されるように適合され得る。
【００２０】
導管は容器の唯一の開口部であり得る。従って、有利には、フィルタ要素を導管の第１の開口部を通して挿入することができる。フィルタ要素は、それが導管の第２の開口端に接続されている場合は、本体の内容積の中に突出していてもよい。それにより、ユーザは、導管の第２の開口端でフィルタ要素の先端／端部／頂点を導管の第１の開口端に向かう方向に押すことによって、フィルタ要素を再び取り外すことができる。ユーザは、容器の本体の可撓性材料を変形／操作することによって、フィルタ要素の先端／端部／頂点を押すことができる。
【００２１】
一実施形態では、フィルタ要素および／または導管は硬質材料を含むことができる。一実施形態では、硬質材料は、ポリエチレン（ＰＥ）、ポリエチレンテレフタレート（ＰＥＴ）、ポリスチレン（ＰＳ）、およびポリプロピレン（ＰＰ）、またはそれらの組み合わせなどのプラスチック材料であり得る。
【００２２】
それにより、フィルタ要素は、輸送時、包装時、取扱い時、または混合手順中に損傷または変形しない。更に、硬質材料は改善された泡立て効果を提供し、それにより粉末と液体との、より良好な混合を提供する。更に、硬質材料のフィルタ要素を設けることにより、フィルタ要素の少なくとも１つの孔のサイズおよび分布が維持される。
【００２３】
一実施形態では、フィルタ要素は細長い形状を備え得る。
【００２４】
一実施形態では、フィルタ要素の長さは導管の直径と少なくとも等しくすることができ、または長さを直径の少なくとも２倍にすることができ、または長さを直径の少なくとも３倍にすることができる。
【００２５】
細長い形状を備えるフィルタ要素を提供することによって、液体および粉末はフィルタ要素と衝突したときに散らばる／散乱されるので、フィルタ要素は、ユーザによって容器がシェークされた場合に泡立て効果を提供することにより混合手順を手助けすることができる。更に、フィルタ要素は粉末の向きを変え、粉末は導管を通るのではなく、導管から押し戻されるので、液体が容器に導入される前に閉鎖部材なしで粉末が容器から漏れ出る危険性は減少する。
【００２６】
一実施形態では、フィルタ要素は中空構造を備えることができる。
【００２７】
一実施形態では、フィルタ要素は中空円筒を備えることができる。それにより、容器の総重量が最小限に抑えられる。
【００２８】
一実施形態では、フィルタ要素の中空構造は、少なくとも部分的に円錐形であり得る。円錐形状の中空構造は更に、円錐台形状の中空構造であり得る。円錐形状は、容器のシェーキングの間に液体および粉末がフィルタ要素と衝突したときに散らばる／散乱されることを促進し得る。
【００２９】
フィルタ要素は、細長い多面体などの概ね縦長の形状を備える代替の三次元構造を備えることができる。
【００３０】
それにより、上記の実施形態によって、本体の内容積の中に突出することができるフィルタ要素が得られる。
【００３１】
一実施形態では、フィルタ要素は、導管の第２の開口端に取り付けるためのリング状基部を備え得る。
【００３２】
リング状基部は、導管の第２の開口端に取り付け手段によって取り付けるための、フィルタ要素の一端を画定することができる。取り付け手段は、例えば、接着剤、係合または摩擦ばめを含み得る。それにより、液体は基部を通り、中空フィルタ要素を通り、フィルタ要素の表面の少なくとも１つの孔を通って流れることができる。
【００３３】
一実施形態では、フィルタ要素は少なくとも１つの濾過孔を備えることができ、それにより、フィルタ要素が導管の第２の開口端に取り付けられたときに、本体の外部と内容積との間の流体連通をもたらす。
【００３４】
それにより、消費可能な液体を容器の内容積に添加することができ、消費可能な粉末と消費可能な液体との混合物を本体の内容積から外に出すことができる。しかし、塊の形態の未溶解粉末は、本体の内容積から外に出ることはできない場合がある。
【００３５】
一実施形態では、フィルタ要素は少なくとも第１の濾過孔および第２の濾過孔を備えることができ、フィルタ要素が導管の第２の開口端に接続された場合、第１の濾過孔は第２の濾過孔よりも、導管の第２の開口端の近くに配置されている場合があり、第１の濾過孔の直径は第２の濾過孔の直径よりも小さい場合がある。
【００３６】
本出願人は、容器を本体（および容器）の長手方向軸に沿ってシェークした場合に、未溶解粉末（塊）がとりわけこの長手方向軸に対して、本体の上部および下部の内面に配置され得ることを見出した。フィルタ要素を備える、導管の第２の端部が、本体の上部または底部に配置されている場合、導管の第２の開口端に、従って本体の上部または底部の内側表面に、第２の濾過孔よりも近くに配置された第１の濾過孔が、より多くの未溶解粉末にさらされる。従って、未溶解粉末が容器から漏れ出る危険性を最小限に抑えるように、第１の濾過孔の直径は第２の濾過孔の直径よりも小さいことが有利である。
【００３７】
一実施形態では、フィルタ要素は、切頭形または尖頭形のいずれかである頂点を備え得る。
【００３８】
頂点とは円錐形構造の先端を意味する。頂点は尖頭形または切頭形のいずれかであってもよく、それにより円錐台形状の構造を形成してもよい。頂点は開いているか、または閉じていてもよく、フィルタ要素の基部（例えばリング状基部）の直径／断面積よりも小さい直径／断面積を有していてもよく、この基部は導管の第２の開口端に取り付けられていてもよい。
【００３９】
それにより、フィルタ要素は容器のシェーキングの間に液体の向きを変え、それにより粉末によるフィルタ要素の孔の詰まりを防止する。更に、頂点が開いており、場合によりフィルタの少なくとも１つの濾過孔の直径よりも大きい直径を有する場合、液体はより高い流速で本体の内容積の中に導入される。
【００４０】
一実施形態では、少なくとも１つの孔の最大直径は２ｍｍ未満、または１．５ｍｍ未満、または１ｍｍ未満、または０．５ｍｍ未満であり得る。孔とは、本体の内容積と導管の第２の開口端との間へのアクセスを提供するフィルタ要素の表面の開口部を意味する。少なくとも１つの孔は円形の孔であり得るが、多角形も同様に想定される。ポリゴンの場合、最大直径はポリゴン内の最長の対角線である。
【００４１】
それにより、濾過能力を、特定の粉末または必要性に適するように調整することができる。更に、フィルタ要素の頂点が閉じている場合は、少なくとも１つの孔のサイズが、混合製品の消費時に消費者が経験し得る塊の最大サイズを決定する。更に、少なくとも１つの孔のサイズは、ユーザの賞味経験および満足度を向上させるために粉末に添加され得る、チョコレートなどの非溶解性添加物のサイズを決定する。しかし、孔のサイズが減少するとフィルタ要素を通過する液体の流速は減る。
【００４２】
一実施形態では、フィルタ要素に複数の濾過孔を設けることができる。
【００４３】
それにより、容器の中への液体の導入の流速を最大化することができ、容器から出る混合製品の流速を最大化することができる。
【００４４】
一実施形態では、本体は、第１の端部と、第１の端部の反対側の第２の端部と、本体の長手方向軸に対して第１の端部と第２の端部の間に配置された中央部とを画定することができ、長手方向軸に垂直な本体の断面積は、第１および第２の端部においてよりも中央部において小さい。
【００４５】
第１および第２の端部よりも小さい断面積の中央部を設けることにより、容器をシェークすることによって混合された場合に、液体および粉末の中に乱流が生成され、その乱流が混合を改善するという結果になる。従って、容器の長手方向軸の方向に沿って容器をシェークした場合に、液体および粉末がニュートンの第３法則に従って、中央部を介して第１の端部と第２の端部との間を行き来するように移動するにつれて混合が改善される。中央部を介した液体および粉末の移動は液体に渦巻きを生じさせ、それにより乱流を生じさせ混合を改善する。
【００４６】
更に、第１および第２の端部よりも小さい断面積の中央部を設けることによって、人間の手にとって自然な容器のグリップが実現され、容器の扱いやすさが改善される。
【００４７】
一実施形態では、中央部における本体の縁部は、本体の内容積に向かって少なくとも部分的に曲がることができる。中央部における本体の縁部の形状は、円形、歯形、三角形、または矩形であり得るが、これらに限定されない。
【００４８】
それにより、容器の設計は、要求および要望に応じて変更され得る。更に、中央部における本体の縁部のサイズおよび形状は、容器の混合能力を増加または減少させるために変更され得る。例えば、中央部における本体の縁部は、容器の断面積が低減され、それにより、容器がシェークされた場合に、液体および粉末を狭い渦巻き状の流路の中に移動させ、液体および粉末の乱流を増加させるようなサイズおよび形状になっていてもよい。
【００４９】
一実施形態では、本体は、ポリエチレン（ＰＥ）、ポリエチレンテレフタレート（ＰＥＴ）、ポリプロピレン（ＰＰ）、またはそれらの組み合わせなどの可撓性の液体不透過性プラスチック材料を含み得る。生分解性プラスチックも、本発明の範囲内で想定される。
【００５０】
それにより、容器は可撓性となり、これは保管および輸送中に有利であり、容器は漏れがないことが更に確実になる。生分解性プラスチックを使用することにより、容器の環境への影響が最小限に抑えられる。
【００５１】
一実施形態では、本体を、可撓性の液体不透過性材料から作製された少なくとも１つのシートによって形成することができ、シートの縁部の少なくとも一部は接合され、それによりシートは本体の内容積を画定する。
【００５２】
それにより、本体は単一のシートから形成され得る。シートの形状は、単一のシートをシートの縁部の少なくとも一部に沿って折り曲げて接合した場合に、内容積を含む本体が形成されるように設計することができる。例えば、本体の底縁部は直線縁部を含んでもよく、それにより、この縁部に沿ってシートを折り曲げることが簡単になる。この場合、底縁部は鏡映線として機能し、鏡映線のいずれの側にもシートの実質的に同一の部分が配置されている。導管は、底縁部から最も遠い上縁部に沿って配置されていてもよい。
【００５３】
一実施形態では、導管およびフィルタ要素は一体として形成することができる。
【００５４】
それにより、導管の第２の開口端にフィルタ要素を取り付けるための手段は必要なく、合体された導管およびフィルタ要素の強度が増加する。更に、導管とフィルタ要素とが一体として形成されていることにより、容器の製造が簡単になる。例えば、合体された導管とフィルタ要素を単一工程でキャスト成形することができる。合体されたフィルタ要素と導管は、好ましくは同じ材料から作られ得る。材料は好ましくは硬質プラスチック材料である。
【００５５】
一実施形態では、混合用メッシュを本体の内容積の中に配置することができ、混合用メッシュは可撓性材料を含む。
【００５６】
それにより、改善された混合能力が実現される。混合用メッシュは最も好ましくは中央部の内部に配置される。混合用メッシュは、最も好ましくは可撓性プラスチック材料から作られ、それにより混合用メッシュの存在は、例えば耐久性、または容器の輸送能力または保管能力に影響を及ぼさない。混合用メッシュは本体に固定することができる。混合用メッシュは、本体の第１の端部と第２の端部との間の流体連通を制限せず、むしろ、混合用メッシュは最も好ましくは、流体連通が、混合用メッシュを部分的に通過し、混合用メッシュを部分的に迂回して提供されるように配置される。容器の取扱いおよびシェーキングの間、混合用メッシュは波打ちし、かつ曲がりやすく、それにより混合用メッシュを通る液体および粉末の流体連通は増加する。従って、消費可能な液体と消費可能な粉末とを含む容器をシェークすると、混合用メッシュを通る流体連通により容器の混合能力は高められる。
【００５７】
一実施形態では、本体は、可撓性の液体不透過性材料から作製された第１のシートおよび第２のシートを備えることができ、シートの縁部の少なくとも一部が接合され、それによりシートが本体の内容積を画定する。第１のシートおよび第２のシートを提供することにより、シートを互いに重ねて置いて、例えば、溶接プロセスで熱および／または圧力を使用することによって接合するだけでよくなるので、本体の製造が単純化される。
【図面の簡単な説明】
【００５８】
【図１】本発明の容器の一実施形態を断面図で示す。
【図２】フィルタ要素の一実施形態の側面図を示す。
【図３】図２によるフィルタ要素の一実施形態の斜視図を示す。
【図４】フィルタ要素の一実施形態の側面図を示す。
【図５】フィルタ要素の一実施形態の側面図を示す。
【図６】混合用メッシュを含む本発明の一実施形態を断面図で示す。
【図７】可撓性の液体不透過性材料の単一シートから本体を形成するための技術を示す。
【発明を実施するための形態】
【００５９】
図１は本発明の容器の一実施形態を断面図で示す。容器１は、導管２、本体３、およびフィルタ要素４を含む。導管２は、本体３の外部６と内容積５との間に流体連通を提供する。本体３は可撓性材料を含み、少なくとも、粉末を含有しているときは折り畳み可能であり、液体を収容するときは拡張可能であるように適合されたタイプのものである。本体は、可撓性かつ液体不透過性の材料の２枚のシートを備えてもよく、シートはそれらの縁部３１に沿って接合され、それにより内容積５を封入し画定する。内容積５は、消費可能な粉末７を含み得る。
【００６０】
導管２は、第１の開口端２１および第２の開口端２２の少なくとも２つの端部を含み、第１の開口端２１は本体から外向きに突出し外部６と接触しており、第２の開口端２２は本体３の内容積５の中に突出している。第１の開口端２１は、第１の開口端２１を通るアクセスを可逆的に阻止するための、従って第１の開口端２１と第２の開口端２２との間の流れを阻止するための、閉鎖部材２３に取り外し可能に接続されている。
【００６１】
第１のシートおよび第２のシートによって形成され得る、本体３の接合された縁部３１は、第１の端部３３、第２の端部３４、および縁部３２、３２’を備える中央部分を画定する。本体の側縁部３５、３５’は、第１の端部３３から前記第２の端部３４まで延びている。更に、内容積５は、第１の端部３３によって部分的に画定された第１のチャンバＡと、第２の端部３４によって部分的に画定された第２のチャンバＣと、第１のチャンバＡと第２のチャンバＣとの間の中央チャンバＢとを含み、中央チャンバＢは、中央部分の縁部３２、３２’によって部分的に画定されている。中央チャンバＢは、その縁部３２、３２’が本体３の内容積に向かって少なくとも部分的に曲がることができるように、その縁部３２、３２’が互いに向かう方向に窪みを備えることができることを特徴とする。窪みおよび／または縁部３２、３２’は、消費可能な液体が、例えば、容器１のシェーキング、およびそれによるニュートンの第３法則により、一方のチャンバから他方のチャンバへ強制的に移動させられる場合に、２つのチャンバＡ、Ｃ間の層流を制限する。
【００６２】
フィルタ要素４は、導管２の第２の開口端２２に接続されてもよく、本体３の内容積５の中に突出している。フィルタ要素４は少なくとも１つの濾過孔４１を含み得る。フィルタ要素４の頂点４２は切頭形の場合が描かれており、この場合、頂点４２は、本体３の内容積５と外部６との間の必要な流体連通の量に依存して、開いているか、または閉じているかのいずれかであり得る。
【００６３】
導管２およびフィルタ要素４を通して、液体が本体３の内容積５に添加される。内容積５の内部で、液体は粉末７を部分的に溶解し、容器１をシェークさせることによって液体と粉末との間の改善された混合が実現される。中央チャンバＢによって引き起こされる乱流により、容器１の改善された混合能力が確実になる。中央チャンバＢの窪みおよび／または縁部３２、３２’が湾曲形状を有する場合、手にとって自然なグリップが得られる。
【００６４】
図２は、フィルタ要素４の一実施形態の側面図を示す。この実施形態では、フィルタ要素４は、円錐形部分Ｄと円筒形部分Ｅとを備える。フランジ４３を、フィルタ要素４の開口基部４４に沿って設けてもよい。フランジ４３は、フィルタ要素４を導管２の第２の開口端２２に接続するための特定の取り付け構成で使用することができる。円錐形部分Ｄの頂点４２は、この実施形態で示すように切頭形であってもよく、または単一の点であってもよい。切頭形の頂点４２は、開いているか、または閉じているかのいずれかであり得る。円錐形部分Ｄの表面は少なくとも１つの孔４１を備えるが、最も好ましくは複数の孔４１が設けられる。孔４１は、開いている切頭形の頂点４２と組み合わされて、入力流れの矢印Ｉおよび出力流れの矢印Ｏによって示されるように、開口基部４４と本体３の内容積５との間の流体連通を提供する。液体および粉末の混合物が容器から出るとき、すなわちユーザが液体および粉末の混合物を飲むときに、逆の流れが生じる。円筒形部分Ｅは、導管２の第２の開口端２２と孔４１との間に距離を設けるために、孔４１が設けられていないように示されている。これは、容器１を間違って閉鎖部材なしでひっくり返した場合に、粉末が容器から逃げることがないので有益であり得る。
【００６５】
図３は、フランジなしで描かれた、図２によるフィルタ要素４の斜視図を示す。同様の部品については、図２におけるものと同様の参照番号が使用されている。
【００６６】
図４は、フィルタ要素４の別の実施形態の側面図を示す。同様の部品については、図２におけるものと同様の参照番号が使用されている。この実施形態では、フィルタ要素４は円錐形部分のみを備える。頂点４２’は単一の点として描かれているが、代わりに図２におけるように切頭形であってもよい。フィルタ要素４はフランジ４３なしで使用されてもよい。
【００６７】
図５は、フィルタ要素４の別の実施形態の側面図を示す。同様の部品については、図２におけるものと同様の参照番号が使用されている。フィルタ要素４は、無孔部分Ｇと孔４１部分Ｆとを有する円筒形形状のみからなる。上端部４２’’は、開いているか、または閉じているかのいずれかであり得る。
【００６８】
図６は、図１による容器１の実施形態の側断面図を示す。同様の部品については、図１におけるものと同様の参照番号が使用されている。混合用メッシュ８が本体３の内容積５の中に設けられ、本体３に固定されていてもよい。最も好ましくは、混合用メッシュ８は中央チャンバＢの内部に配置され、本体３の接合された縁部３１に接合される。混合用メッシュ８は、第２のチャンバＣと第１のチャンバＡとの間の流体の流れを制限せず、むしろ混合用メッシュ８は、流体の流れが混合用メッシュ８を部分的に通り、混合用メッシュ８を部分的に迂回するように配置されていることが最も好ましい。
【００６９】
図７は、可撓性の液体不透過性材料の単一シート９から本体３’を実現する方法の概念的側面図を示す。シート９は線Ｍに沿って鏡映され、本体３’は矢印Ｋによって示されるようにシート９を線Ｍに沿って折り曲げることによって形成される。いったん折り曲げられると、縁部３１’の一部は接合されて本体３’内容積を形成する。明確化のために、導管２’の輪郭が示されている。この実施形態では、窪み３２’’および３２’’’は三角形として描かれているが、前述のように他の形状も想定される。
【図１】
2020504061.tif 000003
【図２】
2020504061.tif 000004
【図３】
2020504061.tif 000005
【図４】
2020504061.tif 000006
【図５】
2020504061.tif 000007
【図６】
2020504061.tif 000008
【図７】
2020504061.tif 000009
【国際調査報告】
2020504061.tif 000010
2020504061.tif 000011